(57)【要約】 【課題】  捜索外の着信による放音防止等を図る。【解決手段】  携帯電話機１の判定用動作モード切替情報記憶部１８に発番号通知有りの回数と発番号通知無しの回数と着信回数設定時間とを予め登録すると共に、報知情報記憶部２４に着信音情報及び着信音量を予め登録し、その携帯電話機を紛失したとき、不特定の電話機から掛けられた発番号通知有りの電話と発番号通知無しの電話とをアンテナ１１、無線部１２、制御部１３及び発番号通知判定回路１９で受信し、判定用動作モード切替情報記憶部１８の着信回数設定時間内に発番号通知有りの着信回数と発番号通知無しの着信回数とが登録されている回数に達したならば、報知情報記憶部２４の着信音情報及び音量情報を読み出して着信音情報で決まる着信音を音量情報で決まる音量でスピーカ１７から放音する。【選択図】      図１
2006332874.tif 000002
【特許請求の範囲】
【請求項１】
携帯端末装置を捜索する方法であって、
複数種類の発呼信号からなる捜索信号を無線回線を介して前記携帯端末装置へ送信し、
前記携帯端末装置側では受信された前記捜索信号の適正を判断し、
前記捜索信号が適正であるとの結果が得られれば、当該携帯端末装置の所在を知らせる報知音を出力することを特徴とする携帯端末装置の捜索方法。
【請求項２】
前記携帯端末装置側では、適正な捜索信号と一致する参照信号を予め参照信号記憶手段に記憶しておき、前記捜索信号を受信すると、前記参照信号記憶手段に記憶されている前記参照信号を読み出して当該参照信号と受信した前記捜索信号とが一致しているか否かを判断し、一致しているときは当該携帯端末装置の所在を知らせる報知音を出力することを特徴とする請求項１記載の携帯端末装置の捜索方法。
【請求項３】
前記捜索信号は、発番号有りの信号と発番号無しの信号とからなり、
前記参照信号は、前記発番号有りの前記信号の判定用着信回数及び前記発番号無しの前記信号の判定用着信回数並びに所定の着信時間であり、
前記報知音は、所定の前記着信時間内に前記発番号有りの前記信号の着信回数と前記発番号無しの前記信号の着信回数とが、各々、対応する前記判定用着信回数になるとき出力されることを特徴とする請求項２記載の携帯端末装置の捜索方法。
【請求項４】
前記発呼信号は、２値信号列に変換可能な信号であり、
前記報知音は、変換された前記二値信号列の各々が所定の関係になるとき出力されることを特徴とする請求項１記載の携帯端末装置の捜索方法。
【請求項５】
前記報知音は、記憶手段に記憶される報知音情報に基づいて出力されることを特徴とする請求項１乃至４のいずれか一に記載の携帯端末装置の捜索方法。
【請求項６】
前記報知音情報は、着信音及び音量に関する情報であることを特徴とする請求項５記載の携帯端末装置の捜索方法。
【請求項７】
前記着信音及び音量に関する情報は、前記記憶手段から読み出されるとき、時系列上で異なる値となるように構成されていることを特徴とする請求項６記載の携帯端末装置の捜索方法。
【請求項８】
前記着信音及び音量に関する情報は、前記記憶手段から読み出されるとき、時系列上で異なる頻度となるように構成されていることを特徴とする請求項６記載の携帯端末装置の捜索方法。
【請求項９】
自機の所在を知らせる報知手段を有する携帯端末装置であって、
複数種類の発呼信号からなる捜索信号を受信する受信手段と、
前記受信手段で受信される前記捜索信号の適正を判断する判断手段と、
該判断手段によって前記捜索信号が適正であるとの判断が得られるとき当該携帯端末装置の所在を知らせる報知音を出力する報知音出力手段とを備えてなることを特徴とする携帯端末装置。
【請求項１０】
適正な参照信号を記憶する参照信号記憶手段を有し、前記判断手段は、前記受信手段で前記捜索信号を受信すると、前記参照信号記憶手段の参照信号を読み出して当該参照信号と受信した前記捜索信号とが一致しているか否かを判断し、前記報知音出力手段は、前記判断手段が一致を示すとき当該携帯端末装置の所在を知らせる報知音を出力することを特徴とする請求項９記載の携帯端末装置。
【請求項１１】
前記捜索信号は、発番号有りの信号と発番号無しの信号とからなり、
前記参照信号は、前記発番号有りの前記信号の判定用着信回数及び前記発番号無しの前記信号の判定用着信回数並びに所定の着信時間であり、
前記報知音出力手段は、所定の前記着信時間内に前記発番号有りの前記信号の着信回数と前記発番号無しの前記信号の着信回数とが、各々、対応する前記判定用着信回数になるとき前記報知音を出力することを特徴とする請求項１０記載の携帯端末装置。
【請求項１２】
前記発呼信号は、２値信号列に変換可能な信号であり、
前記報知音出力手段は、変換された前記二値信号列の各々が所定の関係になるとき前記報知音を出力することを特徴とする請求項９記載の携帯端末装置。
【請求項１３】
前記報知音出力手段は、報知音情報を記憶する記憶手段を有し、前記報知音は、前記記憶手段の前記報知音情報に基づいて出力されることを特徴とする請求項９、１０、１１又は１２記載の携帯端末装置。
【請求項１４】
前記報知音情報は、着信音及び音量に関する情報であることを特徴とする請求項１３記載の携帯端末装置。
【請求項１５】
前記着信音及び音量に関する情報は、前記記憶手段から読み出されるとき、時系列上で異なる値となるように構成されていることを特徴とする請求項１４記載の携帯端末装置。
【請求項１６】
前記着信音及び音量に関する情報は、前記記憶手段から読み出されるとき、時系列上で異なる頻度となるように構成されていることを特徴とする請求項１４記載の携帯端末装置。
【発明の詳細な説明】
【技術分野】
【０００１】
この発明は、携帯端末装置の捜索方法及び携帯端末装置に関し、詳しくは紛失した携帯端末装置を探し出す手段を提供する携帯端末装置の捜索方法及びその機能を備えた携帯端末装置に関する。
【背景技術】
【０００２】
携帯電話機を紛失した場合に、その携帯電話機近くにいる人にその旨を合図する技術が、例えば、特許文献１に記載されている。
特許文献１に記載される技術は、オフフックされていない状態で着信したときの着信回数を予め記憶し、着信があったときオフフックされていない状態を判定し、該判定が肯定で着信される電話番号通知の電話番号が一致する着信回数を計数し、予め定められた時間内に、計数した着信回数が記憶されている上記着信回数に達したとき携帯電話機の存在を示すための鳴動動作を所定時間行い、紛失した携帯電話機を探し出すのに役立てようとする技術である。
【特許文献１】特許第３６２１６１２号公報
【発明の開示】
【発明が解決しようとする課題】
【０００３】
特許文献１に記載される技術は、紛失した携帯電話機に対して捜索するための電話を掛けてその在り処を知らせることはできる。
しかしながら、紛失した携帯電話機がオフフック状態でその携帯電話機の呼び出し状態を設定するのに必要な手段として、電話番号通知の電話を掛けることが必要不可欠である。
したがって、電話番号通知の電話は、携帯電話機が紛失した状態でなくても、故意に、その携帯電話機に電話を掛けると、その携帯電話機の呼び出しが行われてしまうという技術的課題が存在する。
【０００４】
この発明は、上述の事情に鑑みてなされたもので、同種の捜索信号には応答せず、的確な呼び出しを行い得る携帯端末装置の捜索方法及び携帯端末装置を提供することを目的としている。
【課題を解決するための手段】
【０００５】
上記課題を解決するために、請求項１記載の発明は、携帯端末装置を捜索する方法に係り、複数種類の発呼信号からなる捜索信号を無線回線を介して上記携帯端末装置へ送信し、上記携帯端末装置側では受信された上記捜索信号の適正を判断し、上記捜索信号が適正であるとの結果が得られれば、当該携帯端末装置の所在を知らせる報知音を出力することを特徴としている。
【０００６】
請求項２記載の発明は、請求項１記載の携帯端末装置の捜索方法に係り、上記携帯端末装置側では、適正な捜索信号と一致する参照信号を予め参照信号記憶手段に記憶しておき、上記捜索信号を受信すると、上記参照信号記憶手段に記憶されている上記参照信号を読み出して当該参照信号と受信した上記捜索信号とが一致しているか否かを判断し、一致しているときは当該携帯端末装置の所在を知らせる報知音を出力することを特徴としている。
【０００７】
請求項３記載の発明は、請求項２記載の携帯端末装置の捜索方法に係り、上記捜索信号は、発番号有りの信号と発番号無しの信号とからなり、上記参照信号は、上記発番号有りの上記信号の判定用着信回数及び上記発番号無しの上記信号の判定用着信回数並びに所定の着信時間であり、上記報知音は、所定の上記着信時間内に上記発番号有りの上記信号の着信回数と上記発番号無しの上記信号の着信回数とが、各々、対応する上記判定用着信回数になるとき出力されることを特徴としている。
【０００８】
請求項４記載の発明は、請求項１記載の携帯端末装置の捜索方法に係り、上記発呼信号は、２値信号列に変換可能な信号であり、上記報知音は、変換された上記二値信号列の各々が所定の関係になるとき出力されることを特徴としている。
【０００９】
請求項５記載の発明は、請求項１乃至４のいずれか一に記載の携帯端末装置の捜索方法に係り、上記報知音は、記憶手段に記憶される報知音情報に基づいて出力されることを特徴としている。
【００１０】
請求項６記載の発明は、請求項５記載の携帯端末装置の捜索方法に係り、上記報知音情報は、着信音及び音量に関する情報であることを特徴としている。
【００１１】
請求項７記載の発明は、請求項６記載の携帯端末装置の捜索方法に係り、上記着信音及び音量に関する情報は、上記記憶手段から読み出されるとき、時系列上で異なる値となるように構成されていることを特徴としている。
【００１２】
請求項８記載の発明は、請求項６記載の携帯端末装置の捜索方法に係り、上記着信音及び音量に関する情報は、上記記憶手段から読み出されるとき、時系列上で異なる頻度となるように構成されていることを特徴としている。
【００１３】
請求項９記載の発明は、自機の所在を知らせる報知手段を有する携帯端末装置に係り、複数種類の発呼信号からなる捜索信号を受信する受信手段と、上記受信手段で受信される上記捜索信号の適正を判断する判断手段と、該判断手段によって上記捜索信号が適正であるとの判断が得られるとき当該携帯端末装置の所在を知らせる報知音を出力する報知音出力手段とを備えてなることを特徴としている。
【００１４】
請求項１０記載の発明は、請求項９記載の携帯端末装置に係り、適正な参照信号を記憶する参照信号記憶手段を有し、上記判断手段は、上記受信手段で上記捜索信号を受信すると、上記参照信号記憶手段の参照信号を読み出して当該参照信号と受信した上記捜索信号とが一致しているか否かを判断し、上記報知音出力手段は、上記判断手段が一致を示すとき当該携帯端末装置の所在を知らせる報知音を出力することを特徴としている。
【００１５】
請求項１１記載の発明は、請求項１０記載の携帯端末装置に係り、上記捜索信号は、発番号有りの信号と発番号無しの信号とからなり、上記参照信号は、上記発番号有りの上記信号の判定用着信回数及び上記発番号無しの上記信号の判定用着信回数並びに所定の着信時間であり、上記報知音出力手段は、所定の上記着信時間内に上記発番号有りの上記信号の着信回数と上記発番号無しの上記信号の着信回数とが、各々、対応する上記判定用着信回数になるとき上記報知音を出力することを特徴としている。
【００１６】
請求項１２記載の発明は、請求項９記載の携帯端末装置に係り、上記発呼信号は、２値信号列に変換可能な信号であり、上記報知音出力手段は、変換された上記二値信号列の各々が所定の関係になるとき上記報知音を出力することを特徴としている。
【００１７】
請求項１３記載の発明は、請求項９、１０、１１又は１２記載の携帯端末装置に係り、上記報知音出力手段は、報知音情報を記憶する記憶手段を有し、上記報知音は、上記記憶手段の上記報知音情報に基づいて出力されることを特徴としている。
【００１８】
請求項１４記載の発明は、請求項１３記載の携帯端末装置に係り、上記報知音情報は、着信音及び音量に関する情報であることを特徴としている。
【００１９】
請求項１５記載の発明は、請求項１４記載の携帯端末装置に係り、上記着信音及び音量に関する情報は、上記記憶手段から読み出されるとき、時系列上で異なる値となるように構成されていることを特徴としている。
【００２０】
請求項１６記載の発明は、請求項１４記載の携帯端末装置に係り、前記着信音及び音量に関する情報は、前記記憶手段から読み出されるとき、時系列上で異なる頻度となるように構成されていることを特徴としている。
【発明の効果】
【００２１】
この発明によれば、携帯端末装置の紛失時に、複数種類の発呼信号からなる捜索信号を携帯端末装置外から携帯端末装置の受信手段に対して送信し、送信されて来る捜索信号の適否を判断し、その判断結果が肯定であれば、報知音を報知音出力手段から出力するようにしているから、同種の捜索信号には応答しなくなり、同種の捜索信号を送信する場合に比して、的確な報知を行うのに役立つ。
【発明を実施するための最良の形態】
【００２２】
この発明は、複数種類の発呼信号からなる捜索信号の携帯端末装置外からの送信と、その捜索信号の適否判断と、その判断の肯定により、報知音を出力することとにより構成される。
【実施例１】
【００２３】
図１は、この発明の実施例１である携帯電話機の電気的構成を示す図、図２は、同携帯電話機の動作モードを捜索モードへ切り替えるのに用いられる判定用動作モード切替情報の設定を示す図、図３は、同携帯電話機の報知情報の設定を示す図、また、図４は、同携帯電話機の動作順序を示すフローチャートである。
この実施例の携帯電話機１は、紛失した携帯電話機の捜索に際して、携帯電話機の動作モードを捜索モードへ切り替え、切り替えられた捜索モードにおいてその呼び出しを捜索に役立つ着信音及び音量で行う電話機に係り、図１に示すように、アンテナ１１と、無線部１２と、制御部１３と、表示部１４と、キー操作部１５と、バイブレータ１６と、スピーカ１７と、判定用動作モード切替情報記憶部１８と、発番号通知判定回路１９と、Ａカウンター２０と、Ｂカウンター２１と、タイマー２２と、判定回路２３と、報知情報記憶部２４とから概略構成されている。
【００２４】
アンテナ１１は、基地局（図示せず）との間で電波を送受信する素子である。
無線部１２は、アンテナ１１で受信した電気信号をベースバンドの信号に変換して復調する回路部である。制御部１３は、プログラムを記憶するメモリを有し、そのプログラムを実行するＣＰＵを含んで構成されて各部を制御する手段である。
表示部１４は、メッセージ等を表示する回路部である。キー操作部１５は、メッセージ等を入力する操作部である。バイブレータ１６は、携帯電話機１を振動させる起振部である。スピーカ１７は、着信音等を放音する素子である。
【００２５】
判定用動作モード切替情報記憶部１８は、制御部１３の動作モードを捜索モードへ切り替えさせる切替条件（判定用動作モード切替情報）、すなわち、発番号通知有り回数：ｍ回、発番号通知無し回数：ｎ回及び監視時間：Ｔ分を記憶する手段である。
発番号通知判定回路１９は、着信時に着信先が発番号通知して来るか否かを判定する回路である。
【００２６】
Ａカウンター２０は、発番号通知有り回数を計数する回路である。Ｂカウンター２１は、発番号通知無し回数を計数する回路である。タイマー２２は、着信回数の経過時間を計時する回路である。
【００２７】
判定回路２３は、切替条件の成否、すなわち、判定用動作モード切替情報と動作モード切替情報との符合を判定する回路である。報知情報記憶部２４は、捜索モードでの呼び出し条件（報知情報）、すなわち、着信音及び音量を記憶する手段である。
【００２８】
次に、図１乃至図４を参照して、この実施例の動作を説明する。
先ず、紛失した携帯電話機１の捜索に備えて、判定用動作モード切替情報及び報知情報の登録について説明する。
携帯電話機１が待ち受け状態において（図４のステップＳ１）、キー操作部１５の操作により判定用動作モード切替情報、すなわち、発番号通知有り回数：ｍ回、発番号通知無し回数：ｎ回及び着信回数設定時間：Ｔ分を制御部１３の制御の下に判定用動作モード切替情報記憶部１８に登録し（ステップＳ２、図２）、続いて報知情報、すなわち、着信音及び音量を選択して制御部１３の制御の下に報知情報記憶部２４に登録する（ステップＳ３、図３）。
【００２９】
上述のようにして、判定用動作モード切替情報及び報知情報を登録している携帯電話機１を紛失したとき、その携帯電話機１に対して不特定の電話機（紛失した携帯電話機１を探すのに用いれる装置）から発番号通知有り又は発番号通知無しで電話を掛ける（ステップＳ４）。発番号通知有り又は発番号通知無しの発呼で送信される信号が、特許請求の範囲及び明細書でいう発呼信号の例である。
携帯電話機１は、その電波をアンテナ１１で受信し、無線部１２で復調して制御部１３で着信を認識する（ステップＳ５）。
【００３０】
携帯電話機１の応答があるときは（ステップＳ６のＹＥＳ）、通常の通話に入り、その終了を行う（ステップＳ７、ステップＳ８）。
着信があっても、応答がないときには（ステップＳ６のＮＯ）、捜索モードが開始されて（ステップＳ９）その着信が発番号通知有りであるか又は発番号通知無しであるかを発番号通知判定回路１９で判定する（ステップＳ９）。
その判定が、発番号通知有りであるならば（ステップＳ１０のＹＥＳ）、Ａカウンター２０で発番号通知有りの回数を計数し（ステップＳ１１）、上記判定が、発番号通知無しであるならば（ステップＳ１０のＮＯ）、Ｂカウンター２１で発番号通知無しの回数を計数する（ステップＳ１２）。
【００３１】
そして、判定回路２３において、着信回数設定時間Ｔ内に発番号通知有りの回数と発番号通知無しの回数が、それぞれ所定の回数、例えば、発番号通知有りの回数がｍ＝５回で、発番号通知無しの回数がｎ＝３回になっているか否かを判定し（ステップＳ１３）、その判定が否定であるならば（ステップＳ１３のＮＯ）、待ち受け状態に戻って（ステップＳ４）同様の処理を行う。
【００３２】
上記判定が肯定である、すなわち、捜索モードへの切替条件が満たされるならば（ステップＳ１３のＹＥＳ）、判定回路２３から制御部１３へモード切替信号が供給される。そのモード切替信号に応答して制御部１３の動作モードは捜索モードに切り替えられ、制御部１３が、報知情報記憶部２４から報知情報、例えば、着信音情報及びその音量情報を読み出してその着信音情報に従った着信音で、かつ、音量情報に従った音量でスピーカー１７から放音する（ステップＳ１４）。
【００３３】
このように、この実施例の構成によれば、携帯電話機に発番号通知有りの回数と、発番号通知無しの回数と、着信回数設定時間とを予め登録すると共に、着信音情報及び着信音量を予め登録し、その携帯電話機を紛失したとき、不特定の電話機から紛失した携帯電話機に発番号通知有りの電話と、発番号通知無しの電話とを掛け、着信回数設定時間内に発番号通知有りの着信回数と発番号通知無しの着信回数とが登録されている回数に達したならば、登録されている着信音情報及び音量情報を読み出して着信音情報で決まる着信音を音量情報で決まる音量で放音するようにしたので、携帯電話機探し以外の作為的な着信（故意による着信）に基づく呼び出しを排しつつ、紛失した携帯電話機に対する的確な呼び出しを行うのに役立つ。
【実施例２】
【００３４】
図５は、この発明の実施例２である携帯電話機の電気的構成を示す図である。
この実施例の構成が、実施例１のそれと大きく異なる点は、捜索モードへ切り替えられたときの報知情報の着信音情報と音量情報とを時系列上で異ならしめる情報に構成した点である。
すなわち、この実施例の携帯電話機１Ａは、図５に示すように、報知情報記憶部２４Ａに予め登録されるべき報知情報の着信音情報と音量情報とを時系列上で異ならしめる情報にして登録するようにしたことにこの実施例の特徴部分がある。
この構成以外のこの実施例の構成は、実施例１と同じであるので、同一の構成部分には同一の参照符号を付して、その逐一の説明は省略する。
【００３５】
次に、図５を参照して、この実施例の動作について説明する。
この実施例において、携帯電話機１Ａに予め登録されるべき情報は、報知情報を除いて実施例１と同じである。
報知情報は、着信音情報と音量情報とを時系列上で異ならしめる情報にして報知情報記憶部２４Ａに予め登録される。
【００３６】
そして、携帯電話機１Ａを紛失したときに、その携帯電話機１Ａに電話を掛ける態様も、実施例１と同じである。
携帯電話機１Ａに掛けられる電話により、当該携帯電話機１Ａの動作モードが捜索モードへ切り替えられる処理も、実施例１と同じである。
捜索モードへ切り替えられると、制御部１３は報知情報記憶部２４Ａの読み出しを行う。
【００３７】
この読み出しにより、時系列上で異ならしめられて登録されている着信音情報と音量情報とからなる報知情報が報知情報記憶部２４Ａから読み出されてその着信音情報で決まる着信音であって音量情報で決まる音量の放音信号が制御部１３からスピーカー１７に供給されてスピーカー１７から上記音量の着信音が放音される。
【００３８】
このように、この実施例の構成によれば、着信音情報と音量情報とが時系列上で異ならしめられて構成されているから、実施例１で得られる効果が失われることなく、放音される着信音に気付き易く、紛失した携帯電話機探しをし易くする効果が得られる。
【実施例３】
【００３９】
図６は、この発明の実施例３である携帯電話機の電気的構成を示す図である。
この実施例の構成が、実施例１のそれと大きく異なる点は、捜索モードへ切り替えられたときの報知情報を、放音される着信音の放音頻度を時系列上で異ならしめる情報に構成した点である。
すなわち、この実施例の携帯電話機１Ｂは、図６に示すように、報知情報記憶部２４Ｂに予め登録されるべき報知情報を、捜索モードへの切替時に放音される着信音の放音頻度を時系列上で異ならしめる情報にして登録するようにしたことにこの実施例の特徴部分がある。
この構成以外のこの実施例の構成は、実施例１と同じであるので、同一の構成部分には同一の参照符号を付して、その逐一の説明は省略する。
【００４０】
次に、図６を参照して、この実施例の動作について説明する。
この実施例において、携帯電話機１Ｂに予め登録されるべき情報は、報知情報を除いて実施例１と同じである。
報知情報は、着信音の放音頻度を時系列上で異ならしめる情報にして報知情報記憶部２４Ｂに予め登録される。
【００４１】
そして、携帯電話機１Ｂを紛失したときに、その携帯電話機１Ｂに電話を掛ける態様も、実施例１と同じである。
携帯電話機１Ｂに掛けられる電話により、当該携帯電話機１Ｂの動作モードが捜索モードへ切り替えられる処理も、実施例１と同じである。
捜索モードへ切り替えられると、制御部１３は報知情報記憶部２４Ｂの読み出しを行う。
【００４２】
この読み出しにより、着信音の放音頻度を時系列上で異ならしめる情報としての報知情報が報知情報記憶部２４Ｂから読み出されてその情報で決まる頻度の着信音の放音信号が制御部１３からスピーカー１７に供給されてスピーカー１７から上記頻度の着信音が放音される。
【００４３】
このように、この実施例の構成によれば、着信音の頻度が時系列上で異ならしめられて構成されているから、実施例１で得られる効果が失われることなく、放音される着信音に気付き易く、紛失した携帯電話機探しをし易くする効果が得られる。
【実施例４】
【００４４】
図７は、この発明の実施例４である携帯電話機の電気的構成を示す図である。
この実施例の構成が、実施例１のそれと大きく異なる点は、着信したとき留守番電話機能部を介して受信した判定用動作モード切替情報を記憶部に記憶させ、予め登録されている判定用動作モード切替情報と受信した動作モード切替情報とを比較判定して一致するとき報知情報に基づく放音を行うようにした点である。
【００４５】
すなわち、この実施例の携帯電話機１Ｃは、図７に示すように、留守番電話機能部３１と、動作モード切替情報記憶部３２と、読み出し部３３と、判定部３４と、判定用動作モード切替情報記憶部１８Ａとをその特徴部分として有して構成される。
留守番機能部３１は、留守番電話に切り替えられた後に、送信されて来る動作モード切替情報（例えば、特殊記号コード及び数字コードからなる情報）を動作モード切替情報記憶部３２に記憶させると共に、この記憶終了時に終了信号を読み出し部３３に送出する。
読み出し部３３は、終了信号に応答して動作モード切替情報記憶部３２の読み出しを行って読み出された動作モード切替情報を判定部３４に転送する。
【００４６】
判定部３４は、転送されて来た動作モード切替情報と判定用動作モード切替情報記憶部１８Ａの判定用動作モード切替情報との符合が得られたとき捜索モードへのモード切替信号を制御部１３に送出する。
この構成以外のこの実施例の構成は、実施例１と同じであるので、同一の構成部分には同一の参照符号を付して、その逐一の説明は省略する。
【００４７】
次に、図７を参照して、この実施例の動作について説明する。
先ず、携帯電話機１Ｃの紛失に備えて、捜索モードへの切替に用いる判定用動作モード切替情報を判定用動作モード切替情報記憶部１８Ａに登録する。報知情報記憶部２４への登録は、実施例１と同じである。
【００４８】
この登録後に、不特定の電話機から携帯電話機１Ｃに着信があり、応答がない場合に、留守番電話機能部３１に設定されている所定の時間経過すると、留守番電話機能部３１が動作し始め、不特定の電話機から動作モード切替情報が送信されて来る。
その動作モード切替情報は、留守番機能部３１から動作モード切替情報記憶部３２に転送されてそこに記憶される。その記憶終了時に、終了信号が、留守番機能部３１から読み出し部３３に送出される。
【００４９】
読み出し部３３は、動作モード切替情報記憶部３２の動作モード切替情報を読み出して判定部３４に転送する。判定部３４は、転送されて来た動作モード切替情報と、判定用動作モード切替情報記憶部１８Ａから読み出した判定用動作モード切替情報との符合を取る。
その符合が得られたとき、判定部３４は、モード切替信号を制御部１３に送出する。
【００５０】
制御部１３での動作モードを捜索モードへ切り替える処理も、実施例１と同じである。
捜索モードへ切り替えられると、制御部１３は報知情報記憶部２４の読み出しを行う。
この読み出しによる携帯電話機１Ｃの捜索に供される着信音の放音処理は、実施例１と同じである。
【００５１】
このように、この実施例の構成によれば、紛失した携帯電話機探しをしようとする他の電話機から動作モード切替情報を送るようにしても、実施例１と同効が得られる。
【００５２】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、紛失した携帯電話機の在り処を知らせるのに、上記いずれの実施例でも、着信音の放音を使用しているが、バイブレータで代替をしてもよい。また、発光で代替してもよい。紛失場所によっては、これらの組み合わせを用いてもよい。
【００５３】
上記実施例４における動作モード切替情報は、捜索のために予め用意された情報列で、その情報列の同定処理乃至情報列の適否処理を行い、その肯定が得られたとき報知情報に基づく呼び出しを行うようにしてもよく、その場合には、受信した動作モード切替情報の登録を必要としない。
また、上記実施例は、いずれも、携帯電話機についての実施例であるが、これに限られるものではなく、ＰＤＡ等の携帯端末装置でもこの発明を実施し得る。
【産業上の利用可能性】
【００５４】
ここに開示している携帯端末装置の捜索方法及びその装置は、呼び出し可能な各種の携帯装置でも利用し得る。
【図面の簡単な説明】
【００５５】
【図１】この発明の実施例１である携帯電話機の電気的構成を示す図である。
【図２】同携帯電話機の動作モードを捜索モードへ切り替えるのに用いられる判定用動作モード切替情報の設定を示す図である。
【図３】同携帯電話機の報知情報の設定を示す図である。
【図４】同携帯電話機の動作順序を示すフローチャートである。
【図５】この発明の実施例２である携帯電話機の電気的構成を示す図である。
【図６】この発明の実施例３である携帯電話機の電気的構成を示す図である。
【図７】この発明の実施例４である携帯電話機の電気的構成を示す図である。
【符号の説明】
【００５６】
１、１Ａ、１Ｂ、１Ｃ      携帯電話機（携帯端末装置）
１１      アンテナ（受信手段の一部）
１２      無線部（受信手段の一部）
１３      制御部（受信手段の一部、報知音出力手段の一部）
１７      スピーカ（報知音出力手段の残部）
１８、１８Ａ      判定用動作モード切替情報記憶部（判断手段の一部、）
１９      発番号通知判定回路（受信手段の残部）
２０      Ａカウンター（判断手段の一部）
２１      Ｂカウンター（判断手段の一部）
２２      タイマー（判断手段の一部）
２３      判定回路（判断手段の残部）
２４      報知情報記憶部（報知音記憶手段）
３１      留守番電話機能部（判断手段の一部）
３２      記憶部（判断手段の一部）
３３      読み出し部（判断手段の一部）
３４      判定部（判断手段の残部）
【図１】
2006332874.tif 000003
【図２】
2006332874.tif 000004
【図３】
2006332874.tif 000005
【図４】
2006332874.tif 000006
【図５】
2006332874.tif 000007
【図６】
2006332874.tif 000008
【図７】
2006332874.tif 000009